(57)【要約】【課題】空気調和機の室内機に別体で形成した換気ユニットを壁の占有面積を増やさず追加でき、デザイン性、施工性に優れ、コスト的にも良好な空気調和機の換気装置とする。【解決手段】空気調和機の室内機１０と壁面３０との間に、前面および、または、その周囲に備える換気口２３と背面に備える通風口２４とを結ぶ空気通路に送風機２２を備える送風機ケーシング２１を配設した換気装置２０を配置してなる空気調和機の換気装置としている。【選択図】図２
2006052888.tif 000002
【特許請求の範囲】
【請求項１】
室内機と壁面との間に換気装置を配置してなることを特徴とする空気調和機。
【請求項２】
室内機と壁面との間に、前面および、または、その周囲に備える換気口と背面に備える通風口とを結ぶ空気通路に送風機を備える送風機ケーシングを配設した換気装置を配置してなることを特徴とする空気調和機。
【請求項３】
前記換気装置の前面に前記室内機を据付けるための据付部、背面に壁面に固定するための固定部を備えたこと特徴とする請求項１または２記載の空気調和機。
【発明の詳細な説明】
【技術分野】
【０００１】
本発明は、空気調和機に係わり、特に室内を換気する機能を有する空気調和機の換気装置に関する。
【背景技術】
【０００２】
従来の壁掛け型空気調和機の換気装置には大きく分けて室内機分離型と室内機内臓型の２種類ある。
室内機分離型としては、例えば特許文献１に開示されているように、空気調和機室内ユニット１と、空気調和機室外ユニット２と、室外換気ユニット３と、室内換気ユニット４と、接続配管及び風路を備えたスリーブより、構成されている。
このため、空気調和機室内ユニットと空気調和機室外ユニットとを接続する接続配管、換気孔を備えた換気用風路を同一のスリーブ内に設置することにより、室内と室外を連絡する壁孔は、一つで済み、さらにスリーブの室外側に室外換気ユニットを、室内に室内換気ユニットを取り付けることにより、換気機能付空気調和機の据付性が良くなるという効果が期待される。
【０００３】
また、室内機分離型の他の例としては、例えば特許文献２に開示されているように、室内機の吸込口の近傍に室内空気を排出する排気口と室外空気を供給する給気口を設け、上記排気口に連なる排気路と給気口に連なる給気路と冷媒配管および接続ケーブル等を挿通する挿通路とに三分割した壁穴用パイプを介して壁面室外側に設けた換気ユニットに導き、同換気ユニットに排気路と給気路に対応して送風機を設け、一方の送風機で室内空気を排出し、他方で換気ユニットに設けた給気窓から室外空気を供給するようにしている。
【０００４】
また、室内機分離型の他の例としては、例えば特許文献３に開示されているように、室内ユニット１に室外ユニット１４に設けた加圧空気供給手段１３により外気を加圧導入し、前記室内ユニット１に設けた誘引換気装置３より吹き出させることにより、室内空気８を誘引し、室内側熱交換器２で冷暖房と換気をすると共に、調湿手段と室内空気浄化手段を備えた構成としている。
【０００５】
また、内臓型としては、例えば特許文献４に開示されているように、側部に換気ファン７を備え、該換気ファン７によって室内の空気を室外に排出することが可能とされた空気調和装置の室内機において、両端部に開口部が設けられた換気用流路２０が室内機１の幅方向を向けて形成され、該換気用流路２０の一側の前記開口部が前記換気ファン７と接続可能であり、同他側開口部は、換気用ダクト２７と接続可能に構成されている。
【０００６】
しかし、上記特許文献１に開示されている技術では、室内換気ユニットは空気調和機室内ユニットの下部、上部または側面に設置するため、壁を占有する面積が大きくなるばかりか、デザイン的にも問題がある。
【０００７】
また、上記特許文献２に開示されている技術では、換気ユニットは壁穴の近くの高所に設置するため、施工性が悪いという問題があり、また、排気路と給気路とは室内機と室外機との接続配管を挿通する壁穴を３分割して利用するため、その径を大きくすることができず、換気ユニットを壁穴から離して設置する場合は上記特許文献３に開示されているように高圧タイプの高価な送風機を使用しなければならないという問題がある。
【０００８】
また、上記特許文献４に開示されている技術では、室内機の一部に換気ファンを設けるため、室内機本体が大きくなるという問題があるばかりか、専用シャーシーになる場合が多く、一般シャーシとの部品共通化が図り難いという問題がある。
【０００９】
【特許文献１】特開平６−３００３１２号公報（第２−４頁、第１図）
【特許文献２】特開平５−７１７５３号公報（第２−３頁、第４図）
【特許文献３】特開平１１−１５３３３２号公報（第２−６頁、第５図）
【特許文献４】特開２００３−１８５１７９号公報（第２−５頁、第２図）
【発明の開示】
【発明が解決しようとする課題】
【００１０】
本発明は、換気機能を持たない空気調和機の室内機に、別体で形成した換気ユニットを壁を占有する面積を増やすことなく追加することができ、デザイン性、施工性に優れ、コスト的にも良好な空気調和機の換気装置を提供することを目的とする。
【課題を解決するための手段】
【００１１】
本発明は室内機と壁面との間に換気装置を配置してなる空気調和機としている。
【００１２】
室内機と壁面との間に、前面および、または、その周囲に備える換気口と背面に備える通風口とを結ぶ空気通路に送風機を備える送風機ケーシングを配設した換気装置を配置してなる空気調和機としている。
【００１３】
また、前記換気装置の前面に前記室内機を据付けるための据付部、背面に壁面に固定するための固定部を備えた空気調和機としている。
【発明の効果】
【００１４】
以上説明したように、本発明の空気調和機の換気装置によれば、換気ユニットを空気調和機の室内機と分離したタイプの室内機分離型でありながら、空気調和機の室内機は換気ユニットの前面に据え付けられるため、室内機内臓型のように空気調和機の縦または横の寸法を大きくする必要がなく、また、壁面の占有面積を一般の空気調和機より増やすことなく設置することができる。
また、室内機分離型であるため、空気調和機を据付けた後でも、壁面の占有面積を増やすことなく、換気ユニットを追加設置することができる。
【発明を実施するための最良の形態】
【００１５】
以下、本発明の実施の形態を、添付図面に基づいた実施例として詳細に説明する。
【実施例１】
【００１６】
図１は本発明による空気調和機の換気装置の第１の実施例を示す要部側断面図、図３は同取付構造を示す斜視図、図５は同外観斜視図である。
本発明による空気調和機の換気装置は図１及び図５に示すように、空気調和機の室内機１０と投影面を同空気調和機の室内機１０と略同一形状とした換気ユニット２０と、前記空気調和機の室内機１０から図示しない室外機と接続する冷媒管、電線等を壁面３０に設けた配管穴３１に挿通する冷媒配管４１、前記換気ユニット２０と室外と接続する為冷媒配管４１と共に前記配管穴３１に挿通する換気用配管４２とで構成されており、換気ユニット２０を空気調和機の室内機１０と分離したタイプの室内機分離型である。
そして、その空気調和機の室内機１０は投影面を同空気調和機の室内機１０と略同一形状とした換気ユニット２０の前面に備えた据付部８に据え付けられるため、空気調和機の縦横の寸法を大きくすることがなく、また壁面の占有面積を最小限に留めることができるものである。
【００１７】
図１に示すように、前記空気調和機の室内機１０は本体１の前面及び上面に前面吸込口２ａ及び上面吸込口２ｂと、下部に風向板を備える吹出口３とを結ぶ空気通路４の風上側に、直立部、後傾部及び前傾部でなる熱交換器５と、その風下側に送風機６を配設している。
前記前面吸込口２ａ及び上面吸込口２ｂには室内空気の塵埃を除去するエアーフィルタ７が配設されている。
図示しないが、本体１の背面下部からは前記室外機と接続する冷媒管、電線が、前記冷媒配管４１を通して導出されている。
また、本体１の背面上部には係止爪１ａが形成されており、同係止爪１ａを据付部８の上部に備えた係止部８ｂに係止することができるようになっている。
また、前記据付部８はその下部左右に前記媒配管４１を挿通する配管孔８ａを備えている。
【００１８】
そして、通常の空気調和機として使用し、前記換気ユニット２０を使用しない場合は、前記据付金具８’を壁面３０に固定した後、同据付金具８’に室内機１０の本体１を係止して仮止めしてから、固定するようになっている。
【００１９】
また、前記換気ユニット２０は、図１及び図３に示すように、その上面及び側面に備える換気口２３、２３ａ、２３ｂと背面に備える通風口２４とを結ぶ空気通路に内部に送風機２２を備える送風機ケーシング２１を配設している。
前記通風口２４は壁面３０に設けた配管穴３１に挿通される換気用配管４２に連通されるようになっている。
また、前記換気ユニット２０の背面には同換気ユニット２０を壁面３０に固定するための複数の取付孔２６でなる固定部が、前面には同取付孔２６に対応する挿通孔８ｄ、８ｄ’が設けられており、同挿通孔８ｄ、８ｄ’から先端にネジ５０を装着したドライバを通して取付孔２６から壁面３０に同ネジ５０を螺合することにより、換気ユニット２０を壁面３０に固定することができるようになっている。
また、前記換気ユニット２０の前面には前記据付金具８’が固定されるか、または一体に形成された据付部８を備えており、同据付部８に前記室内機１０の本体１を固定するようになっている。
【００２０】
図６は本発明による空気調和機の換気装置の第１の実施例の換気構造を示す要部正断面図で、（ａ）は室内空気の室外への排気、（ｂ）外気の室内への導入を示している。
図を参照して室内空気の室外への排気、及び外気の室内への導入について説明する。
まず、室内空気の室外への排気について説明する。
前記送風機２２を排気方向に回転させることにより、室内空気が換気口２３、２３ａ、２３ｂから前記換気ユニット２０内に吸込まれ、送風機ケーシング２１を介して換気用配管４２を通して室外に排気される。
【００２１】
つぎに、外気の室内への導入について説明する。
前記送風機２２を排気方向とは反対方向に回転させることにより、外気が換気用配管４２を通して送風機ケーシング２１内に吸込まれ、前記換気ユニット２０の換気口２３、２３ａ、２３ｂから室内に導入される。
【実施例２】
【００２２】
図２は本発明による空気調和機の換気装置の第２の実施例を示す要部側断面図、図３は同取付構造を示す斜視図、図４は同換気ユニットを示す外観正面、図５は同外観斜視図である。
【００２３】
上述した第１の実施例の場合は、外気を室内に導入したが、本第２の実施例の場合は、外気を空気調和機の室内機１０の熱交換器５の上流側に導入できる構造としている。
図２の図１と共通する部分は図１で説明したのでその説明を省略する。
図２に示すように、空気調和機の室内機１０の本体１の背面上部の上面吸込口２ｂに連通する位置に換気孔１ｂを設けると共に、図３、図４に示すように、前記据付部８の前記換気孔１ｂと対応する位置に通気孔８ｃ（２５）を形成している。
また、換気ユニット２０の換気口２３、２３ａ、２３ｂの一部または全てに手動または電動のシャッター２７を設け、必要に応じて開閉できるようにしている。
【００２４】
図７は本発明による空気調和機の換気装置の第２の実施例の換気構造を示す要部正断面図で、外気の室内機への導入を示している。
図７及び前図６を参照して室内空気の室外への排気、及び外気の室内または室内機への導入について説明するが。
まず、室内空気の室外への排気について説明する。
前記シャッター２７を開放し、前記送風機２２を排気方向に回転させることにより、室内空気が換気孔２３、２３ａ、２３ｂから前記換気ユニット２０内に吸込まれ、送風機ケーシング２１を介して換気用配管４２を通して室外に排気される。
【００２５】
つぎに、外気の室内への導入について説明する。
前記シャッター２７を開放し、前記送風機２２を排気方向とは反対方向に回転させることにより、外気が換気用配管４２を通して送風機ケーシング２１内に吸込まれ、前記換気ユニット２０の換気口２３、２３ａ、２３ｂから室内に導入される。
この時、前記空気調和機の室内機１０が運転されている状態では外気の一部は前記通気孔８ｃ（２５）を介して、換気孔１ｂから室内機に導入され、エアーフィルタ７を通して熱交換器５に流風される。
【００２６】
つぎに、外気の室内機への導入について説明する。
前記シャッター２７を閉塞し、前記送風機２２を排気方向とは反対方向に回転させることにより、外気が換気用配管４２を通して送風機ケーシング２１内に吸込まれ、前記換気ユニット２０の前記通気孔８ｃ（２５）を介して、換気孔１ｂから室内機１０に導入され、エアーフィルタ７を通して熱交換器５に流風される。
【００２７】
以上説明したように、本発明の空気調和機の換気装置によれば、換気ユニットを空気調和機の室内機と分離したタイプの室内機分離型でありながら、空気調和機の室内機は投影面を同空気調和機の室内機と略同一形状とした換気ユニットの前面に据え付けられるため、室内機内臓型のように空気調和機の縦または横の寸法を大きくする必要がなく、また、壁面の占有面積を一般の空気調和機より増やすことなく設置することができる。
また、室内機分離型であるため、空気調和機を据付けた後でも、壁面の占有面積を増やすことなく、換気ユニットを追加設置することが可能である。
【図面の簡単な説明】
【００２８】
【図１】本発明による空気調和機の換気装置の第１の実施例を示す要部側断面図である。
【図２】本発明による空気調和機の換気装置の第２の実施例を示す要部側断面図である。
【図３】本発明による空気調和機の換気装置の取付構造を示す斜視図である。
【図４】本発明による空気調和機の換気装置の第２の実施例の換気ユニットを示す外観正面である。
【図５】本発明による空気調和機の換気装置の概略を示す外観斜視図である。
【図６】本発明による空気調和機の換気装置の第１の実施例の換気構造を示す要部正断面図で、（ａ）は室内空気の室外への排気、（ｂ）外気の室内への導入を示している。
【図７】本発明による空気調和機の換気装置の第２の実施例の換気構造を示す要部正断面図で、外気の室内機への導入を示している。
【符号の説明】
【００２９】
１  本体
１ａ  係止爪
１ｂ  換気孔
２ａ  前面吸込口
２ｂ  上面吸込口
３  吹出口
３ａ  風向板
４  風路
５  熱交換器
６  送風機
７  エアーフィルタ
８  据付部
８ａ  配管孔
８ｂ  係止部
８ｃ、２５  通気孔
８ｄ、８ｄ’  挿通孔
１０  空気調和機の室内機
２０  換気装置本体
２１  送風機ケーシング
２２  送風機
２３、２３ａ、２３ｂ  換気口
２４  通風口
２６  取付孔
２７  シャッター
３０  壁面
３１  配管穴
４１  冷媒配管
４２  換気用配管
【図１】
2006052888.tif 000003
【図２】
2006052888.tif 000004
【図３】
2006052888.tif 000005
【図４】
2006052888.tif 000006
【図５】
2006052888.tif 000007
【図６】
2006052888.tif 000008
【図７】
2006052888.tif 000009